(57)【要約】      （修正有）【課題】  書籍の電子ドキュメントデータが蓄積されているデータベースから、その所要の部分のみの電子ドキュメントデータの印刷を可能にする。【解決手段】  デジタル複写機のコントローラ21は、書籍の章毎に印刷されているバーコードの内、コピーしたい章のバーコードを読み取り、キーワード等を作成して、ネットワーク13を介して電子ドキュメントサーバ12に対し、その章の電子ドキュメントデータの送信を要求する。電子ドキュメントサーバ12は、受信したキーワード等に基づいてデータベースを検索し、該当するキーワードを見つけたときは、そのキーワードに対応する電子ドキュメントデータ中、前記章のものをネットワーク13を介して、デジタル複写機へ送信する。デジタル複写機では、受信したデータをコントローラ21内のメモリ214 に一旦格納した後、インタフェース26を通してプリンタ制御部23へ送り、印刷する。【選択図】図２
2006128942.tif 000002
【特許請求の範囲】
【請求項１】
書籍から該書籍を一意に特定する識別情報を読み取る手段と、前記読み取った識別情報を、書籍の内容を表す電子ドキュメントデータと該書籍を一意に特定する識別情報とを関連付けてデータベース化した電子ドキュメントサーバへ送信する手段と、前記電子ドキュメントサーバから、前記識別情報により特定された書籍の電子ドキュメントデータを受信する手段と、前記書籍の内容の一部を選択する手段と、前記受信した電子ドキュメントデータ中の前記選択された部分の電子ドキュメントデータの印刷を行う手段とを備えたことを特徴とする画像形成装置。
【請求項２】
書籍から該書籍を一意に特定する識別情報を読み取る手段と、前記読み取った識別情報を、書籍の内容を表す電子ドキュメントデータと該書籍を一意に特定する識別情報とを関連付けてデータベース化した電子ドキュメントサーバへ送信する手段と、前記書籍の内容の一部を選択する手段と、前記電子ドキュメントサーバから、前記識別情報により特定された書籍の前記選択された部分の電子ドキュメントデータを受信する手段と、前記受信した電子ドキュメントデータの印刷を行う手段とを備えたことを特徴とする画像形成装置。
【請求項３】
請求項１又は２記載の画像形成装置において、前記識別情報自体に書籍の特定部分を一意に決定する要素が含まれており、前記書籍の内容の一部を選択する手段は前記識別情報の前記要素であることを特徴とする画像形成装置。
【請求項４】
請求項１又は２記載の画像形成装置において、ユーザによる操作が可能な範囲指定手段を有し、前記書籍の内容の一部を選択する手段は前記範囲指定手段であることを特徴とする画像形成装置。
【発明の詳細な説明】
【技術分野】
【０００１】
本発明は、ネットワーク上のサーバに蓄積されている書籍の電子ドキュメントデータを受信して印刷する機能を有する画像形成装置に関し、特に所要部分のみの受信及び印刷を可能にした画像形成装置に関する。
【背景技術】
【０００２】
用紙ベースのドキュメントを読み取って印刷する複写機においては、ドキュメントをガラス面に押し当てて１枚ずつ読み取るスキャナ装置のほか、用紙を１枚ずつ自動的に分離搬送することで束になった複数のドキュメントを自動的に読み取る装置（以下、自動原稿搬送装置）が知られている。
【０００３】
しかし、製本された書籍のように分離搬送できないものは自動原稿搬送装置を用いることはできず、接触型のスキャナ装置を利用して１枚ずつ読み取るしかなかった。また、製本された書籍のページめくりを静電気の利用により自動的に行うようにした製本原稿読取装置も知られているが（特許文献１参照）、この装置の利用に関しては、その電気的制御が難しいだけでなく、原本を痛めてしまったり、製本特有の見開きの陰が出てしまったりする問題がある。
【０００４】
そこで、製本された後のドキュメントを読み取るのではなく、製本される前の電子ドキュメントデータをもとに印刷を行うシステムが提案されている（特許文献２参照）。このシステムは、書籍の電子ドキュメントデータが蓄積されている書籍データベースからネットワークを介して電子ドキュメントデータをダウンロードし、製本機能付プリンタにより製本するように構成したものである。このシステムを利用することで、製本された書籍の複製を高品質かつ容易に行うことができる。
【特許文献１】特開平９−２１１９０１号公報
【特許文献２】特開平１１−３２８５２６号公報
【発明の開示】
【発明が解決しようとする課題】
【０００５】
しかしながら、書籍の販売は、通常一冊又毎に価格を設定して行うため、上記システムでは、ユーザが書籍の特定の部分だけを複製したい場合であっても、常に書籍データサーバに蓄積された一冊分の電子ドキュメントデータ全体がダウンロードされ、印刷されてしまうので、印刷用紙の無駄が発生してしまう。
【０００６】
本発明は、このような問題を解決するためになされたもので、その目的は、書籍の電子ドキュメントデータが蓄積されている書籍データベースから、その所要の部分のみの電子ドキュメントデータの印刷を可能にすることである。
【課題を解決するための手段】
【０００７】
請求項１に係る発明は、書籍から該書籍を一意に特定する識別情報を読み取る手段と、前記読み取った識別情報を、書籍の内容を表す電子ドキュメントデータと該書籍を一意に特定する識別情報とを関連付けてデータベース化した電子ドキュメントサーバへ送信する手段と、前記電子ドキュメントサーバから、前記識別情報により特定された書籍の電子ドキュメントデータを受信する手段と、前記書籍の内容の一部を選択する手段と、前記受信した電子ドキュメントデータ中の前記選択された部分の電子ドキュメントデータの印刷を行う手段とを備えたことを特徴とする画像形成装置である。
請求項２に係る発明は、書籍から該書籍を一意に特定する識別情報を読み取る手段と、前記読み取った識別情報を、書籍の内容を表す電子ドキュメントデータと該書籍を一意に特定する識別情報とを関連付けてデータベース化した電子ドキュメントサーバへ送信する手段と、前記書籍の内容の一部を選択する手段と、前記電子ドキュメントサーバから、前記識別情報により特定された書籍の前記選択された部分の電子ドキュメントデータを受信する手段と、前記受信した電子ドキュメントデータの印刷を行う手段とを備えたことを特徴とする画像形成装置である。
請求項３に係る発明は、請求項１又は２記載の画像形成装置において、前記識別情報自体に書籍の特定部分を一意に決定する要素が含まれており、前記書籍の内容の一部を選択する手段は前記識別情報の前記要素であることを特徴とする画像形成装置である。
請求項４に係る発明は、請求項１又は２記載の画像形成装置において、ユーザによる操作が可能な範囲指定手段を有し、前記書籍の内容の一部を選択する手段は前記範囲指定手段であることを特徴とする画像形成装置である。
【発明の効果】
【０００８】
請求項１に係る発明によれば、目的に応じて電子ドキュメントデータの特定部分だけを印刷することで、目的に応じた印刷結果を得るために使用する印刷用紙の無駄を最小限に抑えると共に、印刷に要する時間を短縮できるため、パフォーマンスの向上が期待できる。
請求項２に係る発明によれば、予め印刷したい部分の電子ドキュメントデータだけを受信することで、所要の印刷結果を得るために使用するメモリリソースを最適化すると共に、電子ドキュメントデータの取得に要する時間を短縮できるため、更なるパフォーマンスの向上が期待できる。
請求項３に係る発明によれば、ユーザは操作手順を変えることなく読み取る識別情報を変えるだけで特定の条件を満たす部分の印刷結果を得ることが出来るようになり、使い勝手が向上する。
請求項４に係る発明によれば、ユーザはより細かい条件を指定することが出来るため、ユーザの目的に応じてより的確な範囲の出力結果が得られ、印刷用紙およびメモリリソースがより最適化されると共に、更なるパフォーマンスの向上が期待できる。
【発明を実施するための最良の形態】
【０００９】
以下、本発明の実施形態について図面を参照しながら詳細に説明する。
図１は、本発明の実施形態に係るデジタル複写機の概略を示す図である。このデジタル複写機は、複写機本体１と、平置きのドキュメントを読み取るための接触型読取装置２と、複数枚の原稿を順次紙送りして読み取る自動原稿搬送装置３と、印刷面を反転するための両面反転排紙ユニット４と、使用時にその都度用紙をセットする手差し給紙トレイ５と、常用の紙をセットしておくための給紙トレイ６と、印刷後の用紙を排出するための本体排紙トレイ７と、印刷紙に対してステープルおよびパンチ等を行うためのフィニッシャ装置８と、フィニッシャ装置８を経由した印刷紙を排出するためのフィニッシャ排出トレイ９とから構成されている。
【００１０】
複写機本体１は、スキャナ部、書き込み部、感光体部、現像部、定着部、転写部、及び給紙部などを備えており、これらを連携して動作させることで複写等の機能を実現する。また、このデジタル複写機はマルチファンクション機能を有しており、コピー機能以外にプリンタ機能、スキャナ機能、ＦＡＸ（ファクシミリ）機能も備わっており、１つ以上のネットワーク13（インターネットや電話回線等）を利用することで、ＰＣ（パーソナルコンピュータ）10からの印刷及びスキャン要求、並びにＦＡＸ装置11からの印刷要求を受信した場合にも要求に応じた画像形成を行える。さらに接触型読取装置２で読み取った画像データをネットワーク13上の電子ドキュメントサーバ12に保存したり、保存された画像データを取り出して印刷することも可能である。
【００１１】
図２に、本実施形態に係るデジタル複写機のブロック図を示す。このデジタル複写機はコントローラ21により制御されており、コントローラ21には、操作部制御部22、プリンタ制御部23、及びスキャナ制御部24が接続されている。また、スキャナ制御部24にはＤＦ（Document Feeder)制御部25が接続され、プリンタ制御部23にはフィニッシャ制御部26が接続されている。さらに、図示していないが、スキャナ制御部24には画像処理部が内蔵されている。
【００１２】
コントローラ21は、制御プログラムが記憶されているＲＯＭ211 、各種処理を行うＣＰＵ212 、様々な処理を実行可能なＡＳＩＣ（Application Specific Integrated Circuit)213 、プログラム実行用及び画像データのフレームメモリ214aとしても使用されるメモリ214 、並びに大量の画像データを蓄積する為のＨＤＤ装置215 で構成されている。ＡＳＩＣ213 は、操作部制御部22とのインタフェース及びネットワーク13とのインタフェースの接続が可能であり、また、スキャナ制御部24及びプリンタ制御部23に対してもメモリ214 を介してコマンド及び画像データの送受信が可能である。またスキャナ制御部24により、用紙ベースのドキュメントを読み取って電子ドキュメントに変換したデータは、メモリ214 もしくはＨＤＤ装置215 上に格納され、ＡＳＩＣ213 はこのデータから書誌情報の有無を判定して取り出す。取り出された書誌情報はＣＰＵ212 で内容が解釈され、必要な処理が行われる。
【００１３】
本実施形態では、コピー対象である書籍の電子ドキュメントデータを一意に特定するために、書籍ごとの書誌情報を表すグラフィックデータが書籍にあらかじめ印刷されている。ここでは図３に示すように、製本された書籍31の表面に予め印刷されたバーコード32からなる書誌情報を読み取って電子ドキュメントデータを特定する。また、電子ドキュメントサーバ12は、予め図４のように対応付けられた書誌情報（ここでは数値化された検索キーワード）とその電子ドキュメントデータをデータベースとして保持しており、指定されたキーワードに従って検索を行うことができる。
【００１４】
次に、以上の構成を有するデジタル複写機において、書籍をコピーするときの基本動作を説明する。図５は電子ドキュメントサーバ12からデジタル複写機のコントローラ21を経てプリンタ制御部23に至る電子ドキュメントデータの流れを示す図である。
【００１５】
まず、ユーザは接触型の読取装置２を用いて、書籍３の書誌情報（バーコード32が含まれた面の読み取りを行う。ここで読み取った電子ドキュメントデータはグラフィックデータとして一旦メモリ上214 に格納され、ＡＳＩＣ213はメモリ214上で書誌情報の検索を行う。ここで認識された書式情報は、検索キーワードとするため、ＣＰＵ212によって数値化され、この情報を検索キーワードとして、ネットワーク13上に設置した電子ドキュメントサーバ12へ送られる。電子ドキュメントサーバ12は、図５に示すように、受信した検索キーワードに従ってデータベース121内の検索を行い、そのキーワードが見つかれば検索結果が成功した旨をデジタル複写機に通知すると共に、データ転送のプロトコルに従って該当する電子ドキュメント121aをデジタル複写機に転送する。キーワードが見つからなければ検索失敗した旨をデジタル複写機に通知する。
【００１６】
デジタル複写機では、電子ドキュメントサーバ12に検索を要求している間、電子ドキュメントサーバ12からの応答待ちの状態となる。電子ドキュメントサーバ12からの応答が返ってきた時点で、その応答が検索成功であれば直ちにプロトコルに従って電子ドキュメントデータを受信する。受信したデータはコントローラ21内のメモリ214 に一旦格納された後、インタフェース26を通してプリンタ制御部23に送られて、順次受信した全ページ分のドキュメントの印刷が行われる。もし電子ドキュメントサーバ12からの応答が検索失敗であれば、ドキュメント取得失敗として動作を中断する。このとき、電子ドキュメントサーバ12からの電子ドキュメント取得を中止し、読み取った電子ドキュメントに基づいて印刷を行っても良い。
【００１７】
以上は書籍31の全ページをコピーする場合の動作である。さらに本実施形態では書籍の内容の一部を選択してコピーすることも可能である。書籍の内容の一部を選択する方法としては、書籍の所定の部分にその部分を一意に決定する要素を含む識別情報を印刷しておき、ユーザが識別情報を選択して読み取るだけでコピーする部分が一意に決まるようにする方法がある。例えば図６に示すように、書籍に予め章単位の識別情報34，35，36・・・を印刷しておき、ユーザは必要な章を決めて、それに対応する識別情報を読取装置２で読み取る。他には目次、各章の先頭ページ、各章の要約部分、索引、巻末の書籍情報、参考書籍情報などを選択してコピーすることも考えられる。
【００１８】
また、書籍の内容の一部を選択する別の方法としては、ユーザ自身がより明示的に取得したい部分を指示するため、デジタル複写機の操作パネル等の入力手段を用いて決める方法がある。例えば図７に示すように、操作パネル41上に開始ページ入力キー42及び終了ページ入力キー43を表示し、各々を選択した後にテンキー44で開始ページ及び終了ページを入力する。その後、入力した条件で決定する場合には決定ボタン45を、入力した条件を取り消す場合には取消ボタン46を押下する。また、条件を初期状態（条件指定無し）に戻すには初期化ボタン47を押下する。ここで設定した条件はコントローラ21上のメモリ214 に一旦格納され、後に書籍の識別情報を検知したときに読み出して参照される。
【００１９】
次に、以上のようにして選択した書籍の一部をコピーする場合の動作について説明する。前述したように、ユーザが書籍の一部を選択する方法は二種類あるが、選択した部分のみを印刷する手順についても、電子ドキュメントサーバ12側で送信する電子ドキュメントデータを書籍の一部にする方法と、デジタル複写機側で受信又は印刷する電子ドキュメントデータを書籍の一部にする方法との二種類がある。つまり、全部の四通りの組合せがあるが、以下の説明では、（１）デジタル複写機の操作パネルを用いてコピーする部分を特定し（図７）、電子ドキュメントサーバ12側では書籍の全ページ分の電子ドキュメントデータを送信し、デジタル複写機側で全ページ分を受信し、特定されたページのみを印刷する場合、（２）章単位の識別情報（図６）を読み取ることでコピーする部分を特定し、電子ドキュメントサーバ12側では書籍の特定された部分の電子ドキュメントデータを送信し、デジタル複写機側では受信した全ページを印刷する場合について説明する。
【００２０】
図８は、前者の場合に電子ドキュメントサーバ12からデジタル複写機のコントローラ21を経てプリンタ制御部23に至る電子ドキュメントデータの流れを示す図、図９はデジタル複写機の処理のフローチャート、図１０は電子ドキュメントサーバ12の処理のフローチャートである。
【００２１】
まずユーザは接触型の読取装置２を用いて、書籍の書誌情報（バーコード）が含まれた面の読取を行い（図９のステップＳ１）、次に操作パネル41からコピーするページ範囲を入力する（ステップＳ２）。次いで、ＣＰＵ212 は読み取られた識別情報を基に検索キーワードを作成し、電子ドキュメントサーバ 12 に対して、検索キーワードと共に画像取得の要求を送信する（ステップＳ３）。
【００２２】
電子ドキュメントサーバ12側では、その要求を識別情報（検索キーワード）と共に受け取ると（図１０のステップＳ12）、データベース121 内で該当する電子ドキュメントの検索を行う（ステップＳ13）。そして、検索キーワードが見つかれば（ステップＳ14でYES)、検索結果が成功した旨をデジタル複写機に通知し（ステップＳ15）、データ転送のプロトコルに従って該当する電子ドキュメントデータ121aの全ページ分をデジタル複写機に転送する（ステップＳ16）。検索キーワードが見つからなければ（ステップＳ14でNO) 、検索失敗した旨をデジタル複写機に通知する（ステップＳ17）。
【００２３】
デジタル複写機では、電子ドキュメントサーバ12に検索を要求している間、電子ドキュメントサーバ12からの応答待ちの状態となる（ステップＳ４）。電子ドキュメントサーバ12からの応答が返ってきた時点で、その応答が検索成功であれば（ステップＳ５でYES ）、すぐにプロトコルに従って電子ドキュメントデータを受信する（ステップＳ６）。電子ドキュメントサーバ12からの応答が検索失敗であれば（ステップＳ５でNO）、ドキュメント取得失敗として動作を中断する。
【００２４】
受信した全ページ分の電子ドキュメントデータはコントローラ21内のメモリ214 に一旦格納される。コントローラ21は取得した個々の電子ドキュメントデータに対して印刷判定処理を行い（ステップＳ７）、最後のページの電子ドキュメントデータになる迄（ステップＳ８でYES ）以下の処理を繰り返す。即ち、電子ドキュメントデータのヘッダー情報を取り出し（ステップＳ９）、予め指定された特定の条件と一致するか否か（ここではユーザが操作パネル41から入力した範囲のページである３〜５ページか否か）判定し（ステップＳ10）、もし一致すれば印刷処理を行う（ステップＳ11）。一致しない場合は何もせずに、最後の電子ドキュメントデータの判定の後に処理を終了する。
【００２５】
このように、コントローラ21上のメモリ214 に格納された電子ドキュメントデータのそれぞれのヘッダー情報を参照し、予め与えられた特定条件と一致するものを印刷対象とすることで、不要な部分を予め除いた形で最適な印刷結果のみが得られるようになる。
【００２６】
図１１は、章単位の識別情報（図６）を読み取ることでコピーする部分を特定し、電子ドキュメントサーバ12側では書籍の特定された部分の電子ドキュメントデータのみを送信し、デジタル複写機側では受信したページを印刷する場合に、電子ドキュメントサーバ12からデジタル複写機のコントローラ21を経てプリンタ制御部23に至る電子ドキュメントデータの流れを示す図、図１２はデジタル複写機の処理のフローチャート、図１３は電子ドキュメントサーバ12の処理のフローチャートである。
【００２７】
まずユーザは接触型の読取装置２を用いて、コピーを希望する章の識別情報が印刷された面の読取を行う（図１２のステップＳ21）。ＣＰＵ212 は読み取られた識別情報を基に検索キーワードを作成すると共に電子ドキュメントサーバ12に要求するための電子ドキュメント取得条件を設定した後に（ステップＳ22）、電子ドキュメントサーバ 2に対して、検索キーワード及び電子ドキュメント取得条件と共に画像取得の要求を送信する（ステップＳ23）。
【００２８】
電子ドキュメントサーバ12側では、その要求を識別情報（検索キーワード）及び取得条件と共に受け取ると（図１３のステップＳ28）、データベース121 内で該当する電子ドキュメントの検索を行う（ステップＳ29）。そして、キーワードが見つかれば（ステップＳ30でYES)、検索結果が成功した旨をデジタル複写機に通知し（ステップＳ31）、該当の電子ドキュメントデータに対して転送判定処理を行い（ステップＳ32）、最後の電子ドキュメントデータになる迄（ステップＳ33でYES)以下の処理を繰り返す。即ち、電子ドキュメントデータのヘッダー情報を取り出し（ステップＳ34）、最初に要求を受けた取得条件と一致するか否か（ここではステップＳ21で読み取られた識別情報により特定される章である３〜５ページであるか否か）判定し（ステップＳ35）、もし一致すれば転送処理を行う（ステップＳ36）。一致しない場合は、そのデータは転送せずに、最後の電子ドキュメントデータの判定の後に処理を終了する。キーワードが見つからなければ（ステップＳ30でNO) 、検索失敗した旨をデジタル複写機に通知する（ステップＳ37）。
【００２９】
デジタル複写機では、電子ドキュメントサーバ12に検索を要求している間、電子ドキュメントサーバ12からの応答待ちの状態となる（ステップＳ24）。電子ドキュメントサーバ12からの応答が返ってきた時点で、その応答が検索成功であれば（ステップＳ25でYES ）、すぐにプロトコルに従って電子ドキュメントデータを受信する（ステップＳ26）。電子ドキュメントサーバ12からの応答が検索失敗であれば（ステップＳ25でNO）、ドキュメント取得失敗として動作を中断する。
【００３０】
受信したデータはコントローラ21内のメモリ214 に一旦格納された後、インタフェース26を通してプリンタ制御部23に送られて、順次受信したページのドキュメントの印刷が行われる（ステップＳ27）。
【００３１】
このように、電子ドキュメントサーバ12上で電子ドキュメントデータのヘッダー情報を参照し、予め与えられた特定条件と一致するものだけを転送してもらうことで、コントローラ21上のメモリ214 の未使用領域を無駄に使用することなく、最適な印刷結果を得ることができる。
【００３２】
以上のように、本実施形態によれば、コピーの対象を書籍の一部に設定可能であるから、多様な使用形態がある今日のデジタル複写機にとって重要視される紙資源やメモリリソースの節約につながり、単に１回の印刷作業を効率化させる以上の効果が期待できる。
【図面の簡単な説明】
【００３３】
【図１】本発明の実施形態に係るデジタル複写機の概略を示す図である。
【図２】本発明の実施形態に係るデジタル複写機のブロック図である。
【図３】書籍を一意に特定する識別情報の一例を示す図である。
【図４】電子ドキュメントサーバのデータベースに保持されている情報を示す図である。
【図５】書籍の全ページをコピーするときに電子ドキュメントサーバからデジタル複写機のコントローラを経てプリンタ制御部に至る電子ドキュメントデータの流れを示す図である。
【図６】書籍の一部を一意に特定する識別情報の一例を示す図である。
【図７】操作パネルから書籍のコピー範囲を指定する手順を説明するための図である。
【図８】書籍の一部を選択してコピーするときに電子ドキュメントサーバからデジタル複写機のコントローラを経てプリンタ制御部に至る電子ドキュメントデータの流れの一例を示す図である。
【図９】図８の場合のデジタル複写機の動作を示すフローチャートである。
【図１０】図８の場合の電子ドキュメントサーバの動作を示すフローチャートである。
【図１１】書籍の一部を選択してコピーするときに電子ドキュメントサーバからデジタル複写機のコントローラを経てプリンタ制御部に至る電子ドキュメントデータの流れの別の一例を示す図である。
【図１２】図１１の場合のデジタル複写機の動作を示すフローチャートである。
【図１３】図１１の場合の電子ドキュメントサーバの動作を示すフローチャートである。
【符号の説明】
【００３４】
２・・・接触型読取装置、12・・・電子ドキュメントサーバ、13・・・ネットワーク、21・・・コントローラ、23・・・プリンタ制御部、31・・・書籍、32、33、34、35・・・識別情報、41・・・操作パネル。
【図１】
2006128942.tif 000003
【図２】
2006128942.tif 000004
【図３】
2006128942.tif 000005
【図４】
2006128942.tif 000006
【図５】
2006128942.tif 000007
【図６】
2006128942.tif 000008
【図７】
2006128942.tif 000009
【図８】
2006128942.tif 000010
【図９】
2006128942.tif 000011
【図１０】
2006128942.tif 000012
【図１１】
2006128942.tif 000013
【図１２】
2006128942.tif 000014
【図１３】
2006128942.tif 000015